(57)【要約】【課題】外付けのＨＤＤなどに映像データなどのバックアップを保存する際に暗号化した際、復元されにくいデジタル画像記録再生装置を提供する。【解決手段】記録媒体１７に映像データなどのコンテンツを記録し、記録したコンテンツを記録媒体１７から読み出して再生するデジタル画像記録再生装置であって、機器ごとに区別を行うための情報を生成する手段１３と、コンテンツを記録する際に、機器ごとに区別する情報を元に暗号化を行う手段１２と、暗号化を行ったコンテンツを記録媒体１７への記録を行う手段と、配置変更パターンを保持する手段１８と、複数の記録媒体のうちの一の記録媒体から他へコンテンツのバックアップを行う手段と、バックアップを行い記録する際に配置変更パターンに従い、記録媒体上の離れた位置に不連続に記録を行う配置制御手段１９とを具備する。【選択図】図１
2007318194.tif 000002
【特許請求の範囲】
【請求項１】
記録媒体に映像データなどのコンテンツを記録し、記録したコンテンツを記録媒体から読み出して再生するデジタル画像記録再生装置であって、
機器ごとに区別を行うための情報を生成する手段と、コンテンツを記録する際に、前記機器ごとに区別する情報を元に暗号化を行う手段と、暗号化を行ったコンテンツを記録媒体へ記録する手段と、配置変更パターンを保持する手段と、複数の記録媒体のうちの一の記録媒体から他の記録媒体へコンテンツのバックアップを行う手段と、バックアップを行い記録する際に前記配置変更パターンに従い、記録媒体上の離れた位置に不連続に記録するよう制御する配置制御手段とを具備したことを特徴とするデジタル画像記録再生装置。
【請求項２】
請求項１記載のデジタル画像記録再生装置において、
前記配置変更パターンを複数記憶する手段と、記憶した複数の配置変更パターンから一定の法則に従い選択する手段とを具備したことを特徴とするデジタル画像記録再生装置。
【請求項３】
請求項１記載のデジタル画像記録再生装置において、
前記配置変更パターンをその都度生成する手段と、生成した配置変更パターンを映像コンテンツと関連付けて記憶する手段とを具備したことを特徴とするデジタル画像記録再生装置。
【請求項４】
請求項１記載のデジタル画像記録再生装置において、
前記配置変更パターンを保持する手段は不揮発性のメモリであることを特徴とするデジタル画像記録再生装置。
【発明の詳細な説明】
【技術分野】
【０００１】
本発明は、デジタル放送などでデジタル映像、及び、音声、電子情報等のコンテンツを記録媒体に記録再生を行う装置におけるコンテンツのバックアップ、及び、その管理方法に関する。
【背景技術】
【０００２】
近年、デジタル放送が開始されており、デジタル放送などのコンテンツを保存するための記録再生を行う装置に関し、以下のような従来例がある（特許文献１参照）。
デジタル放送信号をビットストリームのまま記録する装置が商品化されている。図５を用いて説明する。デジタル放送には、一般的にＭＰＥＧのトランスポートストリーム（以下、ＭＰＥＧ−ＴＳと略して記載する）が採用されている。デジタル放送では、コンディショナルアクセス（限定受信）を可能とするために、ＭＰＥＧ−ＴＳには暗号化が施され、変調された信号が送られてくる。
受信機側では、アンテナ０１で受信した信号からチューナー０４にて復調を行い、必要なチャンネルの信号が取り出される。取り出された信号は、コンディショナルアクセスを実現するための認証手段、例えば、日本のデジタル放送ではＢ−ＣＡＳカードを使った認証が行われ、暗号化解除のためのキー情報が取り出される。このキー情報を元に、デスクランブラ０５にて暗号化解除が行われ、ＭＰＥＧ−ＴＳが生成される。
このＭＰＥＧ−ＴＳでは複数の番組のストリームが多重化された状態になっており、ユーザーの必要とするストリームを取り出すためにＴＳ−ＤＥＭＵＸ０９にて分割が行われ、必要な部分だけ抜き出したストリーム（パーシャルＴＳ）が取り出される。
表示のために、このパーシャルＴＳから番組の情報を示すセクション情報とＶＩＤＥＯストリーム、ＡＵＤＩＯストリーム、データ放送等の電子データに分割される。
その後、ＶＩＤＥＯストリームはＶＩＤＥＯデコーダ０７で映像デコード処理され、データ放送等の情報と合わせて視聴のために表示装置０８に出力される。ＡＵＤＩＯストリームは、ＡＵＤＩＯデコーダ１０で音声デコード処理されスピーカー１１に出力される。
ストレージメディアとしては、磁気テープ、ＨＤＤ（Ｈａｒｄ  Ｄｉｓｋ  Ｄｒｉｖｅ：磁気ディスクドライブ）、ＤＶＤ（Ｄｉｇｉｔａｌ  Ｖｅｒｓａｔｉｌｅ  Ｄｉｓｃ：デジタル多目的ディスク）、メモリなど様々である。
【０００３】
デジタルストリームを記録する際には従来のアナログ記録の様に記録による劣化がないので、著作権の保護を行う著作権管理が重要になってくる。デジタル放送の著作権管理として、コンテンツ毎にコピー制御情報（ＣＣＩ：Ｃｏｐｙ  Ｃｏｎｔｒｏｌ  Ｉｎｆｏｍａｔｉｏｎ）として複製条件を、”コピー禁止”、”１回コピー可”、”コピー可”のどれかを指定し、これによって複製の制限をすることが挙げられる。
【０００４】
また、コピー管理と合わせて、記録媒体に記録されたコンテンツが他の手段によって不正にコピーされることを防がなければいけない。記録媒体としてＨＤＤを使用する機器では、使用するＨＤＤは性能、コストの面からＰＣ（パーソナルコンピュータ）で使用しているものと同等のものが使用されている。
【０００５】
デジタル放送で送られて来たストリームは、Ｂ−ＣＡＳカードにて認証が行われ、デスクランブラ０５にて暗号化解除が行われる。暗号化解除が行われたストリームは、ＨＤＤに記録する前に機器固有のキーを用いて暗号回路１２にてローカル暗号が掛けられ、独自のフォーマットで記録する。これにより、例えばＨＤＤを取り出し、他のＰＣ等で不正にコピー、改ざんされることを防いでいる。
【０００６】
図６では、ＨＤＤに記録している映像コンテンツの関係を説明している。ＨＤＤでは、円盤状のディスクに対して円周上に沿った複数のトラック上に一定のブロックサイズに区切ったセクタに情報が記憶されている。セクタには、外周から連続して番号ＬＢＮ（Ｌｏｇｉｃａｌ  Ｂｌｏｃｋ  Ｎｕｍｂｅｒ）が付加されている。円周上のセクタをＬＢＮ＝０から最大のＬＢＮ＝Ｍａｘまで帯状に置き換えたイメージで示している。映像コンテンツＳｔｒｅａｍ１は、複数のセクタを使用して記録される。図６の例では、Ｓｔｒｅａｍ１は途中一箇所連続していない離れたセクタに配置している。ＨＤＤでは、離れたセクタに記録する場合にヘッドの移動を伴うシークが起こり、アクセスが出来ない期間が発生する。
【０００７】
図７は、それをＨＤＤから読み出している様子を示している。横軸は時間を示し、縦軸は横出したデータの転送量を示しており、点線はデコーダに要求される伝送レートをイメージしている。図中では離れたセクタにアクセスするためにシークが発生しているが、要求される伝送レートを満たしている。
【０００８】
映像コンテンツを記録する場合に、映像コンテンツの記録再生に必要とされる伝送レートを満足するために、なるべく連続したセクタに記録するようにしている。
【０００９】
最近、内蔵ＨＤＤ内の映像コンテンツの保護のために、この外付けＨＤＤを利用してバックアップを記録しておく要求が出てきている。接続方法としては、ＵＳＢ  Ｉ／Ｆ１５を使った接続などがある。この場合、記録フォーマットとしてＰＣでも読み取りが可能なものとするが、記録するコンテンツには暗号回路１２を用いてローカル暗号を行なって、記録した機器でしか再生出来ないようにしている。外付けのため、他の機器に接続、コンテンツの移動、コピーなどが可能であるが、再生できる機器を限定することで著作権の保護を行なっている。
【特許文献１】特開２００３−３７５９０号公報
【発明の開示】
【発明が解決しようとする課題】
【００１０】
しかしながら、上述の装置のように、従来のＨＤＤ記録再生装置による外付けＨＤＤへのバックアップでは、暗号化回路にて暗号を行ってから記録することで他の機器では再生出来ないようにしている。しかし、暗号化だけでは、暗号化のキー情報がわかると復元されてしまう問題がある。
【００１１】
本発明は、そのような状況に鑑みてなされたもので、コンテンツのバックアップを作成する際のセキュリティを向上させることができるデジタル画像記録再生装置を提供するものである。
【課題を解決するための手段】
【００１２】
本発明は、こうした課題を解決するための手段を提供するもので、各項の発明は、以下の技術手段を構成する。
本発明の項１のデジタル画像記録再生装置は、記録媒体に映像データなどのコンテンツを記録し、記録したコンテンツを記録媒体から読み出して再生する記録再生装置であって、機器ごとに区別を行うための情報を生成する手段と、コンテンツを記録する際に、機器ごとに区別する情報を元に暗号化を行う手段と、暗号化を行ったコンテンツを記録媒体への記録を行う手段と、複数の記録媒体を持ち一方の記録媒体から他方へコンテンツのバックアップを行う手段と、バックアップを行い記録する際に配置変更パターンに従い、記録媒体上の離れた位置に不連続に記録を行う配置制御手段とを具備したことを特徴とする。
【００１３】
本発明の項２のデジタル画像記録再生装置は、項１のデジタル画像記録再生装置において、配置変更を行うパターンを予め複数用意して記憶しておく手段と、複数の配置変更パターンから一定の法則に従い選択する手段とを具備したことを特徴とする。
【００１４】
本発明の項３のデジタル画像記録再生装置は、項１のデジタル画像記録再生装置において、配置変更を行うパターンをその都度生成する手段と、生成した配置変更パターンを映像コンテンツと関連付けて記憶する手段とを具備したことを特徴とする。
【００１５】
本発明の項４のデジタル画像記録再生装置は、項１のデジタル画像記録再生装置において、配置変更パターンを保持する手段に不揮発性のメモリを使用することを特徴とする。
【発明の効果】
【００１６】
上記にて説明された本発明により以下の効果がもたらされる。
本発明の項１のデジタル画像記録再生装置は、上述したような構成としているので、バックアップする際に、映像コンテンツを暗号した後、復元しにくいように自由に配置を変更できるために不正なアクセスを試みるものによる暗号の不正解除に対して効果がある。
【００１７】
本発明の項２のデジタル画像記録再生装置は、上述したような構成としているので、配置変更パターンを複数から選択できるため、不正なアクセスから推測されにくくなる。
【００１８】
本発明の項３のデジタル画像記録再生装置は、上述したような構成としているので、配置変更のパターンの種類に制約が無いのでより複雑に配置が変更できる。
【００１９】
本発明の項４のデジタル画像記録再生装置は、上述したような構成としているので、電源が供給されない状態になっても配置テーブルが消失しないのでリストアの保証が出来る。
【発明を実施するための最良の形態】
【００２０】
本発明を実施するための最良の形態を説明する。
本発明のデジタル画像記録再生装置の実施形態の一例について、図１乃至図３を用いて以下に説明する。図１は、本発明の第１の実施例であるデジタル画像記録再生装置の機能ブロック図であり、デジタル画像記録再生装置は、制御部０２、メモリ０３、チューナー０４、デスクランブラ０５、バッファ制御部０６、ＶＩＤＥＯデコーダ部０７、ＴＳ−ＤＥＭＵＸ０９、ＡＵＤＩＯデコーダ部１０、暗号部（ＬＯＣＡＬ方式）１２、ＫＥＹ生成部１３、ＨＤＤ  Ｉ／Ｆ部１４、ＵＳＢ  Ｉ／Ｆ部１５、内蔵ＨＤＤ１６、配置記憶部１８、配置制御部１９を備えており、アンテナ０１とはチューナー０４を介して、表示装置０８とはＶＩＤＥＯデコーダ部０７を介して、スピーカー１１とはＡＵＤＩＯデコーダ部１０を介して、外部ＨＤＤとはＵＳＢ  Ｉ／Ｆ部１５を介して、それぞれ接続される。従来の構成に対して、配置記憶部１８、配置制御部１９を追加した形で構成されている。
【００２１】
図２、図３は第１の実施例を説明する図であり、本実施例の図１のブロック構成を用いた場合を説明する図である。内蔵ＨＤＤ１６に記録された映像コンテンツを外部ＨＤＤ１７にバックアップする場合を説明する。内蔵ＨＤＤ１６から読み出された映像コンテンツは、ＨＤＤ  Ｉ／Ｆ１４を経由し、暗号部１２に送られる。暗号部１２では、バックアップのための暗号化が必要な場合は再暗号化が行われ、ＵＳＢ  Ｉ／Ｆ１５を経由して外部ＨＤＤ１７に記録される。バックアップに限定して考えた場合、記録時のチューナー０４からの入力レート、再生時のＶＩＤＥＯデコード０７、ＡＵＤＩＯデコード１０への出力レートを考える必要はなく、ＨＤＤの連続したセクタに記録しなければいけない制約はなくなる。
【００２２】
図２に示すようにＳｔｒｅａｍ１の記録に際して連続しないセクタに記録し、図３に示すようにシークが多く発生することにより、データ転送量が低くなっても問題無い。
【００２３】
本実施例においては、ＵＳＢ  Ｉ／Ｆ１５を経由する際に連続して記録するのではなく、離れた配置となるように配置制御部１９でアドレス変換を行う。配置の変更方法としては、予め決められた配置変更パターンに従いアドレス変換を行う方式を採用できる。また、複数のアドレス変換パターンを持ち、記録する映像コンテンツごとにコンテンツ名などの特長により、変換パターンを選択適用して配置変換を行う方式も採用可能である。また、変更パターンをその都度ランダムに生成し、配置変換を行った後、映像コンテンツ毎にその配置変換パターンの対比テーブルを配置記憶部１８に保存して置き、リストアの際に参照する方式なども採用できる。配置変更パターンは、不揮発性のメモリに保持することができる。
【００２４】
図４は、配置記憶部１８でのデータテーブルの例を示している。複数の映像コンテンツＳｔｒｅａｍ１、Ｓｔｒｅａｍ２のそれぞれの配置パターンをデータテーブル内に保持しておくことで、外部ＨＤＤ１７から内蔵ＨＤＤ１６へのリストアが必要になった場合にデータテーブルが参照される。
【図面の簡単な説明】
【００２５】
【図１】本発明のデジタル画像記録再生装置の一実施形態例を示す機能ブロック図である。
【図２】本発明のデジタル画像記録再生装置の一実施形態例のディスク配置を説明する図である。
【図３】本発明のデジタル画像記録再生装置の一実施形態例のディスクアクセスを説明する図である。
【図４】本発明のデジタル画像記録再生装置の一実施形態例における配置パターン記憶部を説明する図である。
【図５】従来のデジタル画像記録再生装置を示す機能ブロック図である。
【図６】従来のデジタル画像記録再生装置のディスク配置を説明する図である。
【図７】従来のデジタル画像記録再生装置のディスクアクセスを説明する図である。
【符号の説明】
【００２６】
０１  アンテナ
０２  制御部
０３  メモリ
０４  チューナー
０５  デスクランブラ
０６  バッファ制御部
０７  ＶＩＤＥＯデコーダ部
０８  表示装置
０９  ＴＳ−ＤＥＭＵＸ
１０  ＡＵＤＩＯデコーダ部
１１  スピーカー
１２  暗号部（ＬＯＣＡＬ方式）
１３  ＫＥＹ生成部
１４  ＨＤＤ  Ｉ／Ｆ部
１５  ＵＳＢ  Ｉ／Ｆ部
１６  内蔵ＨＤＤ
１７  外部ＨＤＤ
１８  配置記憶部
１９  配置制御部
【図１】
2007318194.tif 000003
【図２】
2007318194.tif 000004
【図３】
2007318194.tif 000005
【図４】
2007318194.tif 000006
【図５】
2007318194.tif 000007
【図６】
2007318194.tif 000008
【図７】
2007318194.tif 000009